(57)【特許請求の範囲】
【請求項１】
ヘルメットと、このヘルメットに取り付けられる保護具とを着脱自在に係合させるための取り付け治具であって、この取り付け治具はヘルメットに取り付けられる受け部材と、保護具に取り付けられる差し込み部材とからなり、前記受け部材は、略Ｊ字状に湾曲されたヘルメット係止部が下端に、縦方向にスリットを有する偏平筒状の差し込み部材挿入部が上端に、それぞれ形成されてなり、前記差し込み部材は、保護具取り付け部と、該保護具取り付け部から延出されたＵ字状の差し込み部とからなり、該差し込み部の前記スリットに面する側と反対側の面には半球状突起が形成され、該差し込み部を前記受け部材の差し込み部材挿入部に差し込んだときに、前記半球状突起が前記スリットを押し拡げ、差し込み部材挿入部のばね性により差し込み部が押さえ付けられることにより、差し込み部材と受け部材とが固定されることを特徴とする防災ヘルメット用の保護具取り付け治具。
【請求項２】
前記受け部材のヘルメット係止部の湾曲空間内に、押圧部材により撓曲自在とされた板バネが設けられてなることを特徴とする請求項１記載の防災ヘルメット用の保護具取り付け治具。
【請求項３】
前記受け部材のヘルメット係止部に、連続した複数の凹凸が設けられてなることを特徴とする請求項１記載の防災ヘルメット用の保護具取り付け治具。
【請求項４】
前記受け部材のヘルメット係止部にスリットが設けられてなることを特徴とする請求項１乃至３いずれかに記載の防災ヘルメット用の保護具取り付け治具。
【発明の詳細な説明】
【０００１】
【発明の属する技術分野】
この発明は防災ヘルメット用の保護具取り付け治具に係り、その目的は防災、防熱用のフェイスシールド等、工事現場等にて使用される顔面保護具を、ヘルメットに対して着脱自在に、しかも簡便且つ確実に取り付けることができる防災ヘルメット用の保護具取り付け治具を提供することにある。
【０００２】
【従来の技術】
トンネル工事や建設工事などの工事現場に従事する作業者は、通常、頭部を保護する防災ヘルメットを着用している。
また、工事現場のなかでも、特に熱や有毒性ガスを伴う溶接等の危険な作業に従事する場合や、多量の粉塵が浮遊する劣悪環境下での作業に従事する場合には、頭部保護のヘルメット以外に、顔面を保護するフェイスシールドや防塵マスク等の保護具をヘルメットと併用している。
このような顔面用の保護具は、工事現場において常に着用されるものではなく特定の作業に従事する際にのみ着用すればよいため、一般には必要時にヘルメットに取り付けて着用される場合が多い。
【０００３】
顔面保護具のヘルメットへの取り付け方法の一例として、例えばフェイスシールドを例に挙げると、図１７に示すように、取り付け治具（Ａ）を介してフェイスシールド（Ｆ）をヘルメット（Ｈ）に装着する方法が存在している。
このような、フェイスシールド（Ｆ）のヘルメット（Ｈ）への装着に使用される治具としては、例えば図１８及び図１９に示すような構造の治具（Ａ）が使用されている。
この治具（Ａ）は、基部（Ａ１）とこの基部（Ａ１）と連続して形成された湾曲状の挟持部（Ａ２）から構成され、挟持部（Ａ２）には締め付けビス（Ａ４）が設けられてなるものであり、使用時においては、基部（Ａ１）をフェイスシールドの枠体（Ｆ１）の端部に、孔部（Ａ３）を介してボルト等（図示せず）により固定した後に、挟持部（Ａ２）をヘルメット（Ｈ）の鍔部に挟持させて締め付けビス（Ａ４）を締め付けることにより、フェイスシールド（Ｆ）をヘルメット（Ｈ）に固定させるものである。
【０００４】
【発明が解決しようとする課題】
しかしながら、図１８及び図１９に示したような治具を使用した取り付け方法は、フェイスシールド（Ｆ）をヘルメット（Ｈ）に固定させる際に締め付けビス（Ａ４）を締め付ける作業を必要とし、取り外す際には締め付けビス（Ａ４）を緩める作業を必要とするため、取り付け取り外しの作業が面倒で簡便性に欠けるという課題が存在した。
しかも、フェイスシールド（Ｆ）とヘルメット（Ｈ）の固定が、締め付けビス（Ａ４）の先端とヘルメット（Ｈ）との点接触で行われているため、フェイスシールド（Ｆ）のヘルメット（Ｈ）への固定強度が弱く、締め付けビス（Ａ４）の締め付けが不十分であると、作業時の振動等によりフェイスシールド（Ｆ）が位置ずれを起こしてしまったり、場合によってはフェイスシールド（Ｆ）がヘルメット（Ｈ）から外れてしまう危険性もあった。
【０００５】
一方、フェイスシールドをヘルメットに対して簡単に取り付け取り外し可能な治具として図２０に示すようなものも存在している。
図２０示の治具は、受け部材（Ｕ）と差し込み部材（Ｓ）とから構成され、受け部材（Ｕ）をヘルメットに、差し込み部材（Ｓ）をフェイスシールドにそれぞれボルト等で固定しておき、必要時には差し込み部材（Ｓ）の挿入部（Ｓ１）を受け部材（Ｕ）の差し込み部（Ｕ１）に差し込むことにより、フェイスシールドをヘルメットに取り付けるものである。
この治具は、ヘルメットに対するフェイスシールドの取り付け取り外しが簡便に行える点においては優れているものの、次のような欠点が存在していた。
先ず第一に、受け部材（Ｕ）のヘルメットへの取り付けに際して、ヘルメットにボルト挿入用の穴を開ける必要があるため、取り付けが面倒であるとともに、穴開けによりヘルメットの強度が低下してしまい安全上好ましくなかった。
しかも、受け部材（Ｕ）と差し込み部材（Ｓ）の接続が、単に平板状の挿入部（Ｓ１）を差し込み部（Ｕ１）に上から差し込んだだけであるため、例えば作業者が頭を下げた場合には差し込み部材（Ｓ）が受け部材（Ｕ）から簡単に抜けてしまい、作業中にフェイスシールドがヘルメットから外れ易いという大きな危険性があった。
【０００６】
そこで、業界では、フェイスシールド等の顔面保護具のヘルメットへの取り付け取り外しを簡便且つ容易に、しかも安定して確実に行うことができる防災ヘルメット用の保護具取り付け治具の創出が望まれていた。
【０００７】
【課題を解決するための手段】
本発明では、ヘルメットと、このヘルメットに取り付けられる保護具とを着脱自在に係合させるための取り付け治具であって、この取り付け治具はヘルメットに取り付けられる受け部材と、保護具に取り付けられる差し込み部材とからなり、前記受け部材は、略Ｊ字状に湾曲されたヘルメット係止部が下端に、縦方向にスリットを有する偏平筒状の差し込み部材挿入部が上端に、それぞれ形成されてなり、前記差し込み部材は、保護具取り付け部と、該保護具取り付け部から延出されたＵ字状の差し込み部とからなり、該差し込み部の前記スリットに面する側と反対側の面には半球状突起が形成され、該差し込み部を前記受け部材の差し込み部材挿入部に差し込んだときに、前記半球状突起が前記スリットを押し拡げ、差し込み部材挿入部のばね性により差し込み部が押さえ付けられることにより、差し込み部材と受け部材とが固定されることを特徴とする防災ヘルメット用の保護具取り付け治具を提供することにより上記従来の課題を悉く解決する。
【０００８】
【発明の実施の形態】
以下、本発明に係る防災ヘルメット用の保護具取り付け治具の好適な実施形態を図面に基づいて説明する。
本発明に係る防災ヘルメット用の保護具取り付け治具は、ヘルメットに取り付けられる受け部材と、保護具に取り付けられる差し込み部材とから構成されるが、先ず差し込み部材について説明する。
図１は本発明に係る防災ヘルメット用の保護具取り付け治具の差し込み部材（１）を示す斜視図であり、図２は側面図である。
差し込み部材（１）は図示の如く、一枚のステンレス鋼等からなる金属板が折曲されて構成されており、中途部で僅かに屈曲された略長方形状の保護具取り付け部（１１）と、この保護具取り付け部（１１）から延出されて折り返されたＵ字状の差し込み部（１２）とから構成されている。
また、保護具取り付け部（１１）には、保護具に対する取り付け部としてのねじ挿入孔（１３）が設けられており、差し込み部（１２）には、後述する受け部材（２）のスリット（２８）に面する側と反対側の面に半球状突起（１４）が形成されている。
【０００９】
上記構成を有する差し込み部材（１）は、図３に示すように、保護具取り付け部（１１）のねじ挿入孔（１３）を、フェイスシールド（４）の枠体（４１）両端に設けられた取り付け孔に合わせて、ボルト（Ｂ）をねじ挿入孔（１３）及び取り付け孔に挿入してナット（Ｎ）に螺合させることによりフェイスシールド（４）に固定される。
【００１０】
尚、本発明において差し込み部材（１）の形状は、図示例のみに限定されず、保護具に対して何らかの手段で固定することが可能な取り付け部（１１）と、この保護具取り付け部（１１）から延出され半球状突起（１４）が形成された差し込み部（１２）とを備えてさえいれば、種々の変更例が可能である。
【００１１】
次に、受け部材について説明する。
図４は本発明に係る防災ヘルメット用の保護具取り付け治具の受け部材（２）の第一実施形態を示す斜視図であり、図５は側面図である。
受け部材（２）は、差し込み部材（１）と同じくステンレス鋼等の金属材料から形成され、上端部が差し込み部材挿入部（２１）、下端部がヘルメット係止部（２２）とされている。
差し込み部材挿入部（２１）は、偏平筒状とされ縦方向にスリット（２８）が設けられており、この差し込み部の形状は、Ｔ字形の板の上部を、両端が接触しないように中央に向かって折り返すことにより形成されている。
また、差し込み部材挿入部（２１）は、差し込み部材（１）の差し込み部（１２）の挿入が容易になるように上端部が若干拡がっている。
ヘルメット係止部（２２）は、差し込み部材挿入部（２１）と連続して設けられており、略Ｊ字状に湾曲され湾曲空間（２３）でヘルメットの鍔部を挟持することによって、ヘルメットに固定される。
図６は上記構成を有する受け部材（２）をヘルメット（３）に取り付けた様子を示す図である。
【００１２】
尚、図示例においては、差し込み部材挿入部（２１）とヘルメット係止部（２２）を別の部材で構成し、止め部材（２ａ）により一体化した例を示したが、差し込み部材挿入部（２１）とヘルメット係止部（２２）は一体に形成してもよく、これは後述する第二及び第三実施形態に係る受け部材（２）についても同様である。
尚、止め部材（２ａ）の頭部は、後述するように、差し込み部材（１）の差し込み部（１２）を差し込み部材挿入部（２１）に挿入した際の当たり止めの役割も果たすため、止め部材（２ａ）を使用しない場合においても差し込み部（１２）の当たり止めの役割を果たす何らかの突起を設けることが好ましい。
【００１３】
図７は本発明に係る防災ヘルメット用の保護具取り付け治具の受け部材（２）の第二実施形態を示す斜視図であり、図８は側面図である。
第二実施形態に係る受け部材（２）は、ヘルメット係止部の湾曲空間（２３）内に、押圧部材（２４）により撓曲自在とされた板バネ（２５）が設けられている。
図示例では押圧部材（２４）として締め付けビスが使用されており、受け部材（２）の湾曲基部に設けられた螺子溝に締め付けビスを螺合していくことにより板バネ（２５）が押圧されて外方向（図面左方向）に撓曲する。
【００１４】
上記構成を有する受け部材（２）をヘルメット（３）に固定するには、先ず図９に示すように、締め付けビス（２４）を緩めた状態でヘルメット（３）の鍔部を板バネ（２５）の外面と湾曲部内面との隙間に差し入れる。
それから、図１０に示すように、締め付けビス（２４）を締めて板バネ（２５）を押圧して撓曲させることにより、ヘルメット（３）の鍔部を板バネ（２５）の外面と湾曲部内面との間で挟持固定する。
【００１５】
図１１は本発明に係る防災ヘルメット用の保護具取り付け治具の受け部材（２）の第三実施形態を示す斜視図であり、図１２は裏面斜視図である。
第三実施形態に係る受け部材（２）は、ヘルメット係止部（２２）が略半円状に湾曲されている。
また、ヘルメット係止部（２２）には、連続した複数の凹凸部（２６）が形成されるとともにスリット（２７）が設けられている。
【００１６】
上記構成を有する受け部材（２）は、図１３に示すようにしてヘルメット（３）の鍔部に取り付けられる。
このとき、ヘルメット係止部（２２）が略半円状に湾曲されていることにより図１４に示すように係合方向に対して柔軟なフレキシブル性を示し、一定の空間域で撓曲性を示すため、図示のような鍔部が溝状となったヘルメットに対して、その撓曲性により弾力的に適応することができる。
また、ヘルメット係止部（２２）に連続した複数の凹凸部（２６）が設けられているため、撓曲する空間域が一層大きくなり、様々なタイプの溝付きヘルメットに対してより柔軟に対応することができる。
さらに、ヘルメット係止部（２２）にスリット（２７）が設けられていることにより、横方向（ヘルメットの鍔部の長手方向）にも撓曲可能となり、固定対象となるヘルメットの形状がより拡大され汎用性に優れたものとなる。
【００１７】
尚、本発明においては、受け部材（２）の形状は、略Ｊ字状に湾曲されたヘルメット係止部（２２）が下端に形成され、縦方向にスリットを有する偏平筒状の差し込み部材挿入部（２１）が上端に形成されてさえいれば、特に限定されず、第一実施形態においてスリットを設ける構成や、或いは第三実施形態において連続した複数の凹凸部（２６）やスリット（２７）を設けない構成など、種々の変更例が可能である。
【００１８】
以上説明した差し込み部材（１）と受け部材（２）は、図１５に示すように、差し込み部材（１）の差し込み部（１２）を受け部材（２）の差し込み部材挿入部（２１）に差し込むことにより接続固定される。
このとき、差し込み部（１２）に設けられた半球状突起（１４）が差し込み部材挿入部（２１）のスリット（２８）を押し拡げた状態となり、差し込み部材挿入部（２１）のばね性により差し込み部（１２）が押さえ付けられることにより、差し込み部材（１）と受け部材（２）が強固に固定される。
差し込み部材（１）と受け部材（２）を離脱させる際には、差し込み部材（１）を上方に引っ張るだけで簡単に離脱させることができる。
このように、本発明においては、突起（１４）の形状を溝状や鉤爪状ではなく半球状としたところが一つの大きな特長であって、突起（１４）が半球状であることにより、差し込み部（１２）への挿入及び抜き取りを、引っ掛かりやがたつきを生じること無く極めてスムーズ且つ容易に行うことができ、しかも突起に方向性が無いため極めて安定した固定状態を得ることができる。
図示例においては第一実施形態の受け部材（２）を示したが、他の実施形態の受け部材（２）についても全く同様の方法で接続、離脱させることができる。
【００１９】
尚、実際に使用する際には、差し込み部材（１）は保護具（４）に、受け部材（２）はヘルメット（３）に、それぞれ予め固定された状態において使用され、これにより、図１６に示すように、保護具（４）をヘルメット（３）に対して着脱自在に、しかも簡便且つ確実に取り付けることが可能となる。
【００２０】
【発明の効果】
以上説明したように、請求項１に係る発明は、ヘルメットと、このヘルメットに取り付けられる保護具とを着脱自在に係合させるための取り付け治具であって、この取り付け治具はヘルメットに取り付けられる受け部材と、保護具に取り付けられる差し込み部材とからなり、前記受け部材は、略Ｊ字状に湾曲されたヘルメット係止部が下端に、縦方向にスリットを有する偏平筒状の差し込み部材挿入部が上端に、それぞれ形成されてなり、前記差し込み部材は、保護具取り付け部と、該保護具取り付け部から延出されたＵ字状の差し込み部とからなり、該差し込み部の前記スリットに面する側と反対側の面には半球状突起が形成され、該差し込み部を前記受け部材の差し込み部材挿入部に差し込んだときに、前記半球状突起が前記スリットを押し拡げ、差し込み部材挿入部のばね性により差し込み部が押さえ付けられることにより、差し込み部材と受け部材とが固定されることを特徴とする防災ヘルメット用の保護具取り付け治具であるから、防災、防熱用のフェイスシールド等、工事現場等にて使用される顔面保護具を、ヘルメットに対して着脱自在に、しかも簡便且つ確実に取り付けることができるという優れた効果を奏する。
【００２１】
請求項２に係る発明は、前記受け部材のヘルメット係止部の湾曲空間内に、押圧部材により撓曲自在とされた板バネが設けられてなることを特徴とする請求項１記載の防災ヘルメット用の保護具取り付け治具であるから、板バネの作用により受け部材をヘルメットの鍔部に対して確実に取り付けることができるという効果を奏する。
【００２２】
請求項３に係る発明は、前記受け部材のヘルメット係止部に、連続した複数の凹凸部が設けられてなることを特徴とする請求項１記載の防災ヘルメット用の保護具取り付け治具であるから、ヘルメット係止部が撓曲する空間域が大きくなり、受け部材が様々なタイプの溝付きヘルメットに対して取り付け可能になるという効果を奏する。
【００２３】
請求項４に係る発明は、前記受け部材のヘルメット係止部にスリットが設けられてなることを特徴とする請求項１乃至３いずれかに記載の防災ヘルメット用の保護具取り付け治具であるから、ヘルメット係止部が横方向にも撓曲可能となり、固定対象となるヘルメットの形状がより拡大され汎用性に優れたものとなるという効果を奏する。
【図面の簡単な説明】
【図１】本発明に係る防災ヘルメット用の保護具取り付け治具の差し込み部材を示す斜視図である。
【図２】本発明に係る防災ヘルメット用の保護具取り付け治具の差し込み部材を示す側面図である。
【図３】差し込み部材を保護具に取り付けた状態を示す図である。
【図４】本発明に係る防災ヘルメット用の保護具取り付け治具の受け部材の第一実施形態を示す斜視図である
【図５】本発明に係る防災ヘルメット用の保護具取り付け治具の受け部材の第一実施形態を示す側面図である
【図６】第一実施形態に係る受け部材をヘルメットに取り付けた様子を示す図である。
【図７】本発明に係る防災ヘルメット用の保護具取り付け治具の受け部材の第二実施形態を示す斜視図である。
【図８】本発明に係る防災ヘルメット用の保護具取り付け治具の受け部材の第二実施形態を示す側面図である。
【図９】第二実施形態に係る受け部材のヘルメットへの取り付け方を示す説明図である。
【図１０】第二実施形態に係る受け部材をヘルメットに取り付けた様子を示す図である。
【図１１】本発明に係る防災ヘルメット用の保護具取り付け治具の受け部材の第三実施形態を示す斜視図である。
【図１２】本発明に係る防災ヘルメット用の保護具取り付け治具の受け部材の第三実施形態を示す裏面斜視図である。
【図１３】第三実施形態に係る受け部材をヘルメットに取り付た状態を示す図である。
【図１４】第三実施形態に係る受け部材が撓曲する様子を示す図である。
【図１５】差し込み部材と受け部材との接続方法を示す図である。
【図１６】本発明に係る防災ヘルメット用の保護具取り付け治具を使用して、ヘルメットに保護具を取り付けた状態を示す図である。
【図１７】従来の顔面保護具のヘルメットへの取り付け方法を示す図である。
【図１８】従来の取り付け方法において使用される治具を示す側面図である
【図１９】従来の取り付け方法において使用される治具を示す斜視図である
【図２０】従来の取り付け方法において使用される治具を示す斜視図である
【符号の説明】
１          差し込み部材
１１        保護具取り付け部
１２        差し込み部
１４        半球状突起
２          受け部材
２１        差し込み部材挿入部
２２        ヘルメット係止部
２３        湾曲空間
２５        板バネ
２６        凹凸部
２７        ヘルメット係止部のスリット
２８        差し込み部のスリット
３          ヘルメット
４          保護具
【図１】
0003641106.tif 000002
【図２】
0003641106.tif 000003
【図３】
0003641106.tif 000004
【図４】
0003641106.tif 000005
【図５】
0003641106.tif 000006
【図６】
0003641106.tif 000007
【図７】
0003641106.tif 000008
【図８】
0003641106.tif 000009
【図９】
0003641106.tif 000010
【図１０】
0003641106.tif 000011
【図１１】
0003641106.tif 000012
【図１２】
0003641106.tif 000013
【図１３】
0003641106.tif 000014
【図１４】
0003641106.tif 000015
【図１５】
0003641106.tif 000016
【図１６】
0003641106.tif 000017
【図１７】
0003641106.tif 000018
【図１８】
0003641106.tif 000019
【図１９】
0003641106.tif 000020
【図２０】
0003641106.tif 000021